(57)【要約】      （修正有）【課題】人体に装着されたときに、自動的に電源がオンとなる電子機器を提供すること。【解決手段】ウェアラブルスピーカー１は、動きを検出する加速度センサー６と、近接を検出する近接センサー７と、ウェアラブルスピーカー１がスタンバイ状態であるとき、加速度センサー６が動きを検出し、且つ、近接センサー７が近接を検出した場合、ウェアラブルスピーカー１の電源をオンとするＳｏＣ２と、を備える。また、ＳｏＣ２は、ウェアラブルスピーカー１の電源をオンとした後、スマートフォン１０１と無線接続を行う。【選択図】図２
2019110524.tif 000002
【特許請求の範囲】
【請求項１】
動きを検出する第１センサーと、
近接を検出する第２センサーと、
自装置がスタンバイ状態であるとき、前記第１センサーが動きを検出し、且つ、前記第２センサーが近接を検出した場合、自装置の電源をオンとする制御部と、
を備えることを特徴とする電子機器。
【請求項２】
自装置がスタンバイ状態であるとき、前記第１センサーがオンであり、前記第２センサーがオフであり、
前記制御部は、自装置がスタンバイ状態であるとき、前記第１センサーが動きを検出した場合、前記第２センサーをオンとすることを特徴とする請求項１に記載の電子機器。
【請求項３】
前記第２センサーは、前記第１センサーより、消費電力が大きいことを特徴とする請求項２に記載の電子機器。
【請求項４】
前記制御部は、前記第１センサーが動きを検出し、且つ、所定時間内に、前記第２センサーが近接を検出した場合、自装置の電源をオンとすることを特徴とする請求項１〜３のいずれか１項に記載の電子機器。
【請求項５】
前記制御部は、自装置の電源をオンとした後、他の装置との無線接続を行うことを特徴とする請求項１〜４のいずれか１項に記載の電子機器。
【請求項６】
前記制御部は、自装置の電源がオンであるとき、所定時間、前記第２センサーが近接を検出しなくなった場合に、前記第２センサーをオフとし、自装置をスタンバイ状態とすることを特徴とする請求項１〜５に記載の電子機器。
【請求項７】
前記制御部は、前記第１センサーが動きを検出する閾値を設定することを特徴とする請求項１〜６のいずれか１項に記載の電子機器。
【請求項８】
前記制御部は、前記第２センサーが近接を検出する閾値を設定することを特徴とする請求項１〜７のいずれか１項に記載の電子機器。
【請求項９】
前記第１センサーは、加速度センサーであることを特徴とする請求項１〜８のいずれか１項に記載の電子機器。
【請求項１０】
前記第２センサーは、近接センサーであることを特徴とする請求項１〜９のいずれか１項に記載の電子機器。
【請求項１１】
人体に装着されるウェアラブルタイプの電子機器であることを特徴とする請求項１〜１０のいずれか１項に記載の電子機器。
【請求項１２】
首に装着されるウェアラブルタイプの電子機器であるとこを特徴とする請求項１〜１１のいずれか１項に記載の電子機器。
【請求項１３】
略Ｕ字形状の筐体をさらに備えることを特徴とする請求項１〜１２のいずれか１項に記載の電子機器。
【請求項１４】
腕に装着されるウェアラブルタイプの電子機器であるとこを特徴とする請求項１〜１１のいずれか１項に記載の電子機器。
【請求項１５】
耳に装着されるウェアラブルタイプの電子機器であることを特徴とする請求項１〜１１のいずれか１項に記載の電子機器。
【請求項１６】
動きを検出する第１センサーと、
近接を検出する第２センサーと、を備える電子機器の制御方法であって、
自装置がスタンバイ状態であるとき、前記第１センサーが動きを検出し、且つ、前記第２センサーが近接を検出した場合、自装置の電源をオンとすることを特徴とする電子機器の制御方法。
【請求項１７】
動きを検出する第１センサーと、
近接を検出する第２センサーと、
制御部と、を備える電子機器の制御プログラムであって、
自装置がスタンバイ状態であるとき、前記第１センサーが動きを検出し、且つ、前記第２センサーが近接を検出した場合、制御部に、自装置の電源をオンとさせることを特徴とする電子機器の制御プログラム。
【請求項１８】
前記制御部は、自装置がスタンバイ状態であるとき、前記第１センサーが動きを検出し、前記第２センサーが近接を検出し、且つ、所定の音声を認識した場合、自装置の電源をオンとすることを特徴とする請求項１〜１５のいずれか１項に記載の電子機器。
【請求項１９】
センサーと、
自装置がスタンバイ状態であるとき、前記センサーが検出し、且つ、所定の音声を認識した場合、自装置の電源をオンとする制御部と、
を備えることを特徴とする電子機器。
【発明の詳細な説明】
【技術分野】
【０００１】
本発明は、人体に装着されるウェアラブルタイプの電子機器、電子機器の制御方法、及び、電子機器の制御プログラムに関する。
【背景技術】
【０００２】
近年、例えば、腕等の人体に装着されるウェアラブルタイプの電子機器が登場している。このようなウェアラブルタイプの電子機器において、ユーザーが人体に装着した場合、電源が自動的にオンになると、非常に便利である。なお、例えば、携帯端末において、近接センサーと加速度センサーとを用いて、バックライトのオン／オフを制御する発明が存在している（例えば、特許文献１参照。）。
【先行技術文献】
【特許文献】
【０００３】
【特許文献１】特開２０１３−２３２８０４号公報
【発明の概要】
【発明が解決しようとする課題】
【０００４】
しかしながら、従来のウェアラブルタイプの電子機器においては、人体に装着されたときに、自動的に電源がオンとなる電子機器は存在していない。
【０００５】
本発明の目的は、人体に装着されたときに、自動的に電源がオンとなる電子機器を提供することである。
【課題を解決するための手段】
【０００６】
第１の発明の電子機器は、動きを検出する第１センサーと、近接を検出する第２センサーと、自装置がスタンバイ状態であるとき、前記第１センサーが動きを検出し、且つ、前記第２センサーが近接を検出した場合、自装置の電源をオンとする制御部と、を備えることを特徴とする。
【０００７】
本発明では、制御部は、自装置がスタンバイ状態であるとき、第１センサーが動きを検出し、且つ、第２センサーが近接を検出した場合、自装置の電源をオンの状態とする。例えば、電子機器が、ユーザーの首に掛けて用いられるウェアラブルスピーカーである場合、ユーザーが、テーブル等に載置されているウェアラブルスピーカーを持ち上げれば、第１センサーにより、動きが検出される。また、ユーザーが、ウェアラブルスピーカーを首に掛ければ、第２センサーにより、人体（例えば、人体の一部である首）の近接が検出される。これにより、制御部は、自装置がスタンバイ状態であるとき、自装置の電源をオンとする。従って、本発明によれば、電子機器が人体に装着されたときに、自動的に電子機器の電源をオンとすることができる。
【０００８】
第２の発明の電子機器は、第１の発明の電子機器において、自装置がスタンバイ状態であるとき、前記第１センサーがオンであり、前記第２センサーがオフであり、前記制御部は、自装置がスタンバイ状態であるとき、前記第１センサーが動きを検出した場合、前記第２センサーをオンとすることを特徴とする。
【０００９】
本発明では、自装置がスタンバイ状態であるとき、第２センサーがオフであり、制御部は、第１センサーが動きを検出した場合、第２センサーをオンとする。このように、自装置がスタンバイ状態であるとき、第２センサーをオフとすることで、消費電力を削減することができる。
【００１０】
第３の発明の電子機器は、第２の発明の電子機器において、前記第２センサーは、前記第１センサーより、消費電力が大きいことを特徴とする。
【００１１】
第２センサーは、第１センサーよりも消費電力が大きい。このため、本発明では、自装置がスタンバイ状態であるとき、第２センサーがオフであり、制御部は、第１センサーが動きを検出した場合、第２センサーをオンとする。このように、自装置がスタンバイ状態であるとき、消費電力の大きい第２センサーをオフとすることで、消費電力を削減することができる。
【００１２】
第４の発明の電子機器は、第１〜第３のいずれかの発明の電子機器において、前記制御部は、前記第１センサーが動きを検出し、且つ、所定時間内に、前記第２センサーが近接を検出した場合、自装置の電源をオンとすることを特徴とする。
【００１３】
第５の発明の電子機器は、第１〜第４のいずれかの発明の電子機器において、前記制御部は、自装置の電源をオンとした後、他の装置との無線接続を行うことを特徴とする。
【００１４】
本発明では、制御部は、自装置の電源をオンとした後、他の装置との無線接続を行う。これにより、本発明によれば、電子機器が人体に装着されたときに、自動的に他の装置との無線接続を行うことができる。
【００１５】
第６の発明の電子機器は、第１〜第５のいずれかの発明の電子機器において、前記制御部は、自装置の電源がオンであるとき、所定時間、前記第２センサーが近接を検出しなくなった場合に、前記第２センサーをオフとし、自装置をスタンバイ状態とすることを特徴とする。
【００１６】
本発明では、制御部は、自装置の電源がオンであるとき、所定時間、第２センサーが近接を検出しなくなった場合に、第２センサーをオフとし、自装置をスタンバイ状態とする。例えば、ユーザーが、ウェアラブルスピーカーを人体から外せば、第２センサーにより、人体（例えば、人体の一部である首）の近接が検出されなくなる。これにより、制御部は、自装置の電源がオンであるとき、自装置をスタンバイ状態とする。従って、本発明によれば、電子機器が人体から外されたときに、自動的に電子機器をスタンバイ状態とすることができる。これにより、電子機器が使用されていないときの消費電力を削減することができる。
【００１７】
第７の発明の電子機器は、第１〜第６のいずれかの発明の電子機器において、前記制御部は、前記第１センサーが動きを検出する閾値を設定することを特徴とする。
【００１８】
第８の発明の電子機器は、第１〜第７のいずれかの発明の電子機器において、前記制御部は、前記第２センサーが近接を検出する閾値を設定することを特徴とする。
【００１９】
第９の発明の電子機器は、第１〜第８のいずれかの発明の電子機器において、前記第１センサーは、加速度センサーであることを特徴とする。
【００２０】
第１０の発明の電子機器は、第１〜第９のいずれかの発明の電子機器において、前記第２センサーは、近接センサーであることを特徴とする。
【００２１】
第１１の発明の電子機器は、第１〜第１０のいずれかの発明の電子機器において、人体に装着されるウェアラブルタイプの電子機器であることを特徴とする。
【００２２】
第１２の発明の電子機器は、第１〜第１１のいずれかの発明の電子機器において、首に装着されるウェアラブルタイプの電子機器であるとこを特徴とする。
【００２３】
第１３の発明の電子機器は、第１〜第１２のいずれかの発明の電子機器において、略Ｕ字形状の筐体をさらに備えることを特徴とする。
【００２４】
第１４の発明の電子機器は、第１〜第１１のいずれかの発明の電子機器において、腕に装着されるウェアラブルタイプの電子機器であるとこを特徴とする。
【００２５】
第１５の発明の電子機器は、第１〜第１１のいずれかの発明の電子機器において、耳に装着されるウェアラブルタイプの電子機器であることを特徴とする。
【００２６】
第１６の発明の電子機器の制御方法は、動きを検出する第１センサーと、近接を検出する第２センサーと、を備える電子機器の制御方法であって、自装置がスタンバイ状態であるとき、前記第１センサーが動きを検出し、且つ、前記第２センサーが近接を検出した場合、自装置の電源をオンとすることを特徴とする。
【００２７】
第１７の発明の電子機器の制御プログラムは、動きを検出する第１センサーと、近接を検出する第２センサーと、制御部と、を備える電子機器の制御プログラムであって、自装置がスタンバイ状態であるとき、前記第１センサーが動きを検出し、且つ、前記第２センサーが近接を検出した場合、制御部に、自装置の電源をオンとさせることを特徴とする。
【００２８】
第１８の発明の電子機器は、第１〜第１５のいずれかの発明の電子機器において、前記制御部は、自装置がスタンバイ状態であるとき、前記第１センサーが動きを検出し、前記第２センサーが近接を検出し、且つ、所定の音声を認識した場合、自装置の電源をオンとすることを特徴とする。
【００２９】
本発明では、制御部は、自装置がスタンバイ状態であるとき、第１センサーが動きを検出し、第２センサーが近接を検出し、且つ、所定の音声を認識した場合、自装置の電源をオンとする。これにより、第１センサーが動きを誤検出し、第２センサーが近接を誤検出しても、電子機器の電源がオンとなることを防止することができる。
【００３０】
第１９の発明の電子機器は、センサーと、自装置がスタンバイ状態であるとき、前記センサーが検出し、且つ、所定の音声を認識した場合、自装置の電源をオンとする制御部と、を備えることを特徴とする。
【００３１】
本発明では、制御部は、自装置がスタンバイ状態であるとき、センサーが検出し、且つ、所定の音声を認識した場合、自装置の電源をオンとする。これにより、センサーが誤検出しても、ウェアラブルスピーカーの電源がオンとなることを防止することができる。
【発明の効果】
【００３２】
本発明によれば、電子機器が人体に装着されたときに、自動的に電子機器の電源をオンとすることができる。
【図面の簡単な説明】
【００３３】
【図１】本発明の実施形態に係るウェアラブルスピーカーの外観を示す斜視図である。
【図２】本発明の第１実施形態に係るウェアラブルスピーカーの構成を示すブロック図である。
【図３】加速度センサー等の動作を示す図である。
【図４】ウェアラブルスピーカーの電源の遷移状態を示す図である。
【図５】本発明の第２実施形態に係るウェアラブルスピーカーの構成を示すブロック図である。
【図６】ウェアラブルスピーカーの電源の遷移状態を示す図である。
【発明を実施するための形態】
【００３４】
以下、本発明の実施形態について説明する。図１は、本発明の実施形態係るウェアラブルスピーカーの外観を示す斜視図である。図１に示すように、ウェアラブルスピーカー１（電子機器）は、略Ｕ字型の筐体８を備えており、ユーザーの首に装着される。すなわち、ウェアラブルスピーカー１は、ユーザーの首に装着されるウェアラブルタイプのスピーカーである。筐体８は、例えば、樹脂製である。
【００３５】
（第１実施形態）
図２は、本発明の第１実施形態に係るウェアラブルスピーカーの構成を示すブロック図である。ウェアラブルスピーカー１は、スマートフォン１０１とBluetooth（登録商標）（以下、「ＢＴ」という。）規格に従って、無線通信を行う。図２に示すように、ウェアラブルスピーカー１は、ＳｏＣ（System on Chip）２、増幅部３、スピーカーユニット４、５、加速度センサー６、近接センサー７等を備える。
【００３６】
ＳｏＣ２（制御部）は、ＣＰＵ（Central Processing Unit）、ＤＳＰ（Digital Signal Processor）、メモリ等を有し、ウェアラブルスピーカー１を構成する各部を制御する。また、ＳｏＣ２は、ＢＴ通信機能を備えており、スマートフォン１０１と、ＢＴ無線通信を行う。ＳｏＣ２は、スマートフォン１０１から、例えば、音声信号を受信する。ＳｏＣ２は、スマートフォン１０１から受信した音声信号を、増幅部３に出力する。
【００３７】
増幅部３には、ＳｏＣ２からＩ２Ｓ形式の音声信号が出力される。増幅部３は、音声信号を増幅し、増幅した音声信号をスピーカーユニット４、５に出力する。スピーカーユニット４には、Ｌチャンネルの音声信号が出力される。スピーカーユニット５には、Ｒチャンネルの音声信号が出力される。スピーカーユニット４、５は、音声信号に基づいて、音声を外部に出力する。このように、ウェアラブルスピーカー１は、スマートフォン１０１から出力された音声信号に基づいて、音声を再生する。
【００３８】
図３は、加速度センサー等の動作を示す図である。加速度センサー６（第１センサー）は、ウェアラブルスピーカー１の動きを検出する。加速度センサー６は、例えば、略Ｕ字形状の筐体８のいずれか一方の先端側であり、筐体８内に設けられる。加速度センサー６は、３軸加速度センサーである。加速度センサー６は、動きを検出する閾値を設定可能であり、ＳｏＣ２は、閾値を設定する。加速度センサー６は、ウェアラブルスピーカー１の電源がオン／オフいずれでも、低消費電力状態で待機しており、閾値を超える加速度が発生すると、イベントパルスを発生する。例えば、ユーザーがテーブル等に置かれているウェアラブルスピーカー１を取り上げると、閾値以上の加速度が発生し、加速度センサー６は、動きを検出する。言い換えれば、加速度センサー６は、ユーザーがウェアラブルスピーカー１を取り上げた動作を検出する。加速度センサー６は、近接センサー７よりも消費電力が小さい。加速度センサー６は、加速度の変化により、閾値を超えた場合、ウェアラブルスピーカー１の動きを検出する。
【００３９】
近接センサー７（第２センサー）は、衣服等の物体、首等の人体の一部の近接を検出する。近接センサー７は、ウェアラブルスピーカー１が首に掛けられた状態で、首に対向する位置であり、筐体８内に設けられる。近接センサー７は、反射型光学式近接センサーであり、赤外線を発光し、反射光により、物体等の近接を検出する。近接センサー７は、近接を検出する閾値を設定可能であり、ＳｏＣ２は、閾値を設定する。例えば、ユーザーがウェアラブルスピーカー１を首に装着すると、近接センサー７に首が近接するため、近接センサー７は、首の近接を検出する。言い換えれば、近接センサー７は、ユーザーがウェアラブルスピーカー１を首に掛けた状態を検出する。また、近接センサー７は、加速度センサー６よりも消費電力が大きい。
【００４０】
図４は、ウェアラブルスピーカーの電源の遷移状態を示す図である。第２スリープは、ウェラブルスピーカー１のスタンバイ状態に相当し、低消費電力でウェアラブルスピーカー１が動作している状態である。第２スリープにおいて、加速度センサー６のみがオンであり、その他は、スリープ状態である。例えば、加速度センサー６は、１秒毎に動作している（間欠動作）。第２スリープ（ウェラブルスピーカー１がスタンバイ状態）のとき、加速度センサー６が動きを検出していなければ、第２スリープのままである。第２スリープのとき、加速度センサー６が動きを検出した場合、ＳｏＣ２は、ウェアラブルスピーカー１を、第１スリープに移行させる。すなわち、ＳｏＣ２は、近接センサー７をオンとし、近接センサー７を１秒毎に動作させる設定を行い、スリープする。第１スリープにおいて、加速度センサー６、近接センサー７は、１秒毎に動作している。
【００４１】
第１スリープのとき、近接センサー７が近接を検出していなければ、第１スリープのままである。第１スリープのとき、近接センサー７が近接を検出した場合、ＳｏＣ２に割り込みが掛かり、動作状態となる。すなわち、ＳｏＣ２は、ウェアラブルスピーカー１の電源をオンとする。ＳｏＣ２は、ウェアラブルスピーカー１の電源をオンとした後、ペアリング設定されているスマートフォン１０１（他の装置）と、無線接続（ＢＴ）を行う。ウェアラブルスピーカー１の電源がオンのとき、近接センサー７が近接を検出していれば、ウェアラブルスピーカー１の電源はオンのままである。
【００４２】
ウェアラブルスピーカー１の電源がオンのとき、近接センサー７が、所定時間、近接を検出していない場合、ＳｏＣ２は、ウェアラブルスピーカー１を第１スリープに移行させる（タイムアウト）。第１スリープのとき、近接センサー７が、所定時間、近接を検出していない場合、ＳｏＣ２は、ウェアラブルスピーカー１を第２スリープに移行させる。
【００４３】
ここで、「スタンバイ状態」とは、ウェアラブルスピーカー１は、通電しているが、低消費電力モードであり、ＳｏＣ２（制御部）は、低クロックで動作している状態である（第２スリープ相当）。また、「自装置の電源オン」の状態では、ウェアラブルスピーカー１は、通電しており、また、通常モードであり、ＳｏＣ２（制御部）は、通常クロックで動作している。
【００４４】
以上説明したように、本実施形態では、ＳｏＣ２は、ウェアラブルスピーカー１がスタンバイ状態（第２スリープ）であるとき、加速度センサー６が動きを検出し、且つ、近接センサー７が近接を検出した場合、ウェアラブルスピーカー１の電源をオンの状態とする。ウェアラブルスピーカー１がスタンバイ状態である場合、ユーザーが、テーブル等に載置されているウェアラブルスピーカー１を持ち上げれば、加速度センサー６により、動きが検出される。また、ユーザーが、ウェアラブルスピーカー１を首に掛ければ、第２センサーにより、人体（例えば、人体の一部である首）の近接が検出される。これにより、ＳｏＣ２は、ウェアラブルスピーカー１がスタンバイ状態であるとき、ウェアラブルスピーカー１の電源をオンとする。従って、本実施形態によれば、ウェアラブルスピーカー１が人体に装着されたときに、自動的にウェアラブルスピーカー１の電源をオンとすることができる。
【００４５】
また、本実施形態では、ウェアラブルスピーカー１がスタンバイ状態であるとき、近接センサー７がオフであり、ＳｏＣ２は、加速度センサー６が動きを検出した場合、近接センサー７をオンとする。このように、ウェアラブルスピーカー１がスタンバイ状態であるとき、消費電力が大きい近接センサー７をオフとすることで、消費電力を削減することができる。
【００４６】
また、本実施形態では、は、ウェアラブルスピーカー１の電源をオンとした後、スマートフォン１０１との無線接続（ＢＴ）を行う。これにより、本実施形態によれば、ウェアラブルスピーカー１が人体に装着されたときに、自動的にスマートフォン１０１との無線接続を行うことができる。
【００４７】
また、ユーザーが、ウェアラブルスピーカー１を首（人体）から外せば、近接センサー７により、人体（例えば、人体の一部である首）の近接が検出されなくなる。これにより、ＳｏＣ２は、ウェアラブルスピーカー１の電源がオンであるとき、ウェアラブルスピーカー１をスタンバイ状態とする。従って、本実施形態によれば、ウェアラブルスピーカー１が首（人体）から外されたときに、自動的にウェアラブルスピーカー１をスタンバイ状態とすることができる。これにより、ウェアラブルスピーカー１が使用されていないときの消費電力を削減することができる。
【００４８】
（第２実施形態）
以下、本発明の第２実施形態について説明する。第２実施形態において、第１実施形態と同様の構成については、説明を省略する。
【００４９】
第１実施形態においては、加速度センサー６（動きセンサー）と近接センサー７とを用いて、２種類のスリープモード（第１スリープ、第２スリープ）とが作られている。しかしながら、第１実施形態では、ウェアラブルスピーカー１が、柔らかい袋等に入れて持ち運ばれるような使用方法がなされた場合、動きと近接とが検出されてしまい、ウェアラブルスピーカー１がオンとなってしまうとことが考えられる。これを避けるために、ウェアラブルスピーカー１にハードケースを添付し、ケース内では、近接が検出されないようにすることも考えられる。第２実施形態では、ウェアラブルスピーカーの電源がオンとなるトリガーとして、音声が追加される。
【００５０】
図５は、本発明の第２実施形態に係るウェアラブルスピーカーの構成を示すブロック図である。図５に示すように、ウェアラブルスピーカー２０１は、ＢＴスピーカーサブシステム２０２と、センサーサブシステム２０３と、を備える。ＢＴスピーカーシステム２０２は、スマートフォン（不図示）とＢＴ規格に従った無線通信を行い、また、外部に音声を出力する。センサーサブシステム２０３は、ウェアラブルスピーカー２０１の電源をオンするためのセンサー２０４等を備えている。
【００５１】
ＢＴスピーカーサブシステム２０２は、メインプロセッサー２０５、増幅器２０６、スピーカーユニット２０７、電源ボタン２０８等を備える。メインプロセッサー２０５は、アンテナ２０９を有し、スマートフォンとＢＴ規格に従った無線通信を行う。メインプロセッサー２０５は、例えば、スマートフォンから音声信号を受信する。メインプロセッサー２０５は、Ｉ２Ｓ形式の音声信号を増幅器２０６に出力する。増幅器２０６は、メインプロセッサー２０５から出力された音声信号を増幅し、スピーカーユニット２０７に出力する。スピーカーユニット２０７は、音声信号に基づいて、音声を外部に出力する。電源ボタン２０８は、ウェアラブルスピーカー２０１の電源オン／オフを受け付けるためのボタンである。
【００５２】
センサーサブシステム２０３は、ＤＳＰ（Digital Signal Processor）２１０、センサー２０４、マイク２１１等を備える。ＤＳＰ２１０（制御部）は、トリガーボイス（所定の音声）の認識を行う。マイク２１１は、音声を集音する。マイク２１１により集音された音声は、ＤＳＰ２１０に出力される。センサー２０４は、加速度センサー２１２、近接センサー２１３を有する。加速度センサー２１２（第１センサー）は、ウェアラブルスピーカー１の動きを検出する。近接センサー２１３（第２センサー）は、衣服等の物体、首等の人体の一部の近接を検出する。
【００５３】
ＢＴスピーカーサブシステム２０２、センサーサブシステム２０３には、バッテリー２１４からの電源電圧が、スイッチングレギュレータ―２１５、２１６を経由して、供給される。
【００５４】
図６は、ウェアラブルスピーカー２０１の電源の遷移状態を示す図である。第２スリープのとき、加速度センサー６が動きを検出していなければ、第２スリープのままである。第２スリープ（ウェアラブルスピーカー静止状態）のとき、ユーザーが、ウェアラブルスピーカー２０１を手に取ると、加速度センサー６が動きを検出し、ＤＳＰ２１０は、ウェアラブルスピーカー２０１を、第１スリープに移行させる。第１スリープに移行すると、近接センサー２１３は、近接状態のセンシングを始める。
【００５５】
第１スリープのとき、近接センサー２１３が近接を検出していなければ、第１スリープのままである。第１スリープのとき、ユーザーが、ウェアラブルスピーカー２０１を首に掛けると、近接センサー２１３が近接を検出し、ＤＳＰ２１０は、ウェアラブルスピーカー２０１を、第３スリープ（スリープＶ）に移行させる。第３スリープにおいて、ＤＳＰ２１０は、音声入力の待機状態となる。第３スリープの状態で、ユーザーが、トリガーボイス（ホットワード）を発声すると、ＤＳＰ２１０は、トリガーボイスを認識し、ウェラブルスピーカー２０１の電源をオンする。このとき、ＤＳＰ２１０は、メインプロセッサー２０５をオンとする。メインプロセッサー２０５は、ペアリング済の機器（例えば、スマートフォン）との接続を開始する。
【００５６】
なお、ペアリング済の機器がなければ、メインプロセッサー２０５がオンしただけでは、機器と接続はできない。機器と接続できる可能性がない場合（どの機器ともペアリングされていない、工場出荷時など）、電源ボタン長押し相当の信号を出力し、自動的にペアリングモードに移行する。機器と接続できない場合は、ウェアラブルスピーカー２０１は、第３スリープに戻る。トリガーボイスは、電源オン用のものがあればよいが、音声認識機能を有効にするためのものであってもよい。
【００５７】
メインプロセッサー２０５が含まれるＢＴスピーカーサブシステム２０２の電源は、電源ボタン２０８、又は、センサーサブシステム２０３からの制御によって、オン、又は、オフとすることができる。ＢＴスピーカーサブシステム２０２の電源がオンになると、センサーサブシステム２０３の電源もオンとなる。ＢＴスピーカーサブシステム２０２の電源がオフになっても、センサーサブシステム２０３からの制御により、センサーサブシステム２０３の電源をオンに維持することができ、その状態で３種類のスリープモード（第２スリープ、第１スリープ、スリープＶ）が動作する。
【００５８】
センサーサブシステム２０３の制御は、ＤＳＰ２１０によって行われ、ＤＳＰ２１０がマイク２１１からの音声入力を監視して、音声によるＢＴスピーカーサブシステム２０２の起動を行う。ＢＴスピーカーサブシステム２０２が起動した状態でも、ＤＳＰ２１０は、音声入力を監視して、トリガーボイスを検出すると、メインプロセッサー２０５に通知し、それに続く音声コマンドをＵＡＲＴ等の通信手段で送信する。
【００５９】
次に、スリープモードの際のＤＳＰ２１０の動作について説明する。ＤＳＰ２１０は、メインプロセッサー側の電源が落ちたことを、Power mon信号で感知するようになっており、電源が落ちていれば、スリープモードとなる。ＤＳＰ２１０は、センサー２０４（加速度センサー２１２、近接センサー２１３）からのイベント（割り込み信号）に応じて、スリープモード間の状態遷移を行う。ＤＳＰ２１０は、音声入力待ちの状態から、電源オンの音声入力（トリガーボイス）があれば、メインプロセッサー２０５を起動するための信号を発声する。メインプロセッサー２０５が起動すれば、スリープモードは、終了する。
【００６０】
以上説明したように、本実施形態では、ＤＳＰ２１０は、ウェアラブルスピーカー２０１がスタンバイ状態であるとき、加速度センサー２１２が動きを検出し、近接センサー２１３が近接を検出し、且つ、所定の音声を認識した場合、ウェアラブルスピーカー２０１の電源をオンとする。これにより、加速度センサー２１２が動きを誤検出し、近接センサー２１３が近接を誤検出しても、ウェアラブルスピーカー２０１の電源がオンとなることを防止することができる。
【００６１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００６２】
上述の実施形態においては、ＳｏＣ２が、加速度センサー６、近接センサー７を制御し、加速度センサー６による動きの検出に基づいて、近接センサー７のオン／オフ、また、加速度センサー６による動きの検出、近接センサー７による動きの検出に基づいて、ウェアラブルスピーカー１の電源制御等を行っている。これに限らず、ＳｏＣ２とは、別のマイクロコンピューター等が上記制御を行ってもよいし、マイクロコンピューター等とＳｏＣ２とが協同して、上記制御を行ってもよい。
【００６３】
上述の実施形態では、人体に装着されるウェアラブルタイプの電子機器として、首に装着されるウェアラブルスピーカー１を例示した。これに限らず、腕に装着される腕時計型のウェアラブルタイプの電子機器であってもよい。また、耳に装着されるヘッドセット、イヤホン、ヘッドホン型のウェアラブルタイプの電子機器であってもよい。
【００６４】
上述の実施形態では、動きを検出するセンサー（第１センサー）として、加速度センサー６を例示した。これに限らず、動きを検出する他のセンサーであってもよい。また、近接を検出するセンサー（第２センサー）として、近接センサー７を例示した。これに限らず、照度センサー等、近接を検出する他のセンサーであってもよい。
【００６５】
上述の実施形態では、ＤＳＰ２１０は、ウェアラブルスピーカー２０１がスタンバイ状態であるとき、加速度センサー２１２が動きを検出し、近接センサー２１３が近接を検出し、且つ、所定の音声を認識した場合、ウェアラブルスピーカー２０１の電源をオンとする。これに限らず、ウェアラブルスピーカーは、センサーと、ウェアラブルスピーカーがスタンバイ状態であるとき、センサーが検出し、且つ、所定の音声を認識した場合、ウェアラブルスピーカーの電源をオンとする制御部と、を備えるようになっていてもよい。例えば、センサーとしては、動きを検出する加速度センサー、近接を検出する近接センサー等である。この場合、センサーが誤検出しても、ウェアラブルスピーカーの電源がオンとなることを防止することができる。
【産業上の利用可能性】
【００６６】
本発明は、人体に装着されるウェアラブルタイプの電子機器、電子機器の制御方法、及び、電子機器の制御プログラムに好適に採用され得る。
【符号の説明】
【００６７】
１  ウェアラブルスピーカー（電子機器）
２  ＳｏＣ（制御部）
６  加速度センサー（第１センサー）
７  近接センサー（第２センサー）
８  筐体
２０１  ウェアラブルスピーカー（電子機器）
２０２  ＢＴスピーカーサブシステム
２０３  センサーサブシステム
２０５  メインプロセッサー
２１０  ＤＳＰ（制御部）
２１１  マイク
２１２  加速度センサー（第１センサー）
２１３  近接センサー（第２センサー）
【図１】
2019110524.tif 000003
【図２】
2019110524.tif 000004
【図３】
2019110524.tif 000005
【図４】
2019110524.tif 000006
【図５】
2019110524.tif 000007
【図６】
2019110524.tif 000008